(57)【要約】【課題】      袋の孔位置が伸びたり破れたりしにくく、収納物が見つけ易く取り出し易い仕掛け収納具を提供することである。【解決手段】  細長いベ−ス本体１の上面に沿って複数条の保持部材２が設けられて下端２ａは縫製等でベ−ス本体１上に固定されている。  複数条の保持部材２は複数枚の収納袋３の透孔３ａに順次挿通されている。  複数条の保持部材２は最初の収納袋３-1の透孔３ａに下側から上方に向けて挿通された後複数条の保持部材２の止着部ａがベ−ス本体１に縫製等で固定され、他の収納袋３-2、３-3、３-4も順次透孔３ａに複数条の保持部材２が下側から上方に向けて挿通された後複数条の保持部材２の止着部ｂ、ｃがベ−ス本体１に縫製等で固定されると共に上端２ｂがベ−ス本体１に縫製等で固定される。【選択図】        図３
2007143496.tif 000002
【特許請求の範囲】
【請求項１】
ベ−ス本体に沿って保持部材を取り付け、該保持部材に収納袋に明けた孔を挿通し、該保持部材に対して収納袋を揺動可能に保持したことを特徴とする仕掛け収納具。
【請求項２】
収納袋をベ−ス本体に沿って重ね、保持部材を収納袋の孔に通したことを特徴とする請求項１記載の仕掛け収納具。
【請求項３】
複数枚の収納袋をベ−ス本体に沿って前後にずらして順次重ね、保持部材を収納袋の孔に通したことを特徴とする請求項１及び２記載の仕掛け収納具。
【請求項４】
複数枚の収納袋をベ−ス本体に沿って前後にずらして順次重ねると共に、前後の移動を規制する手段を設けたことを特徴とする請求項１から３記載の仕掛け収納具。
【発明の詳細な説明】
【技術分野】
【０００１】
本発明は、釣り場に携行する仕掛け収納具に関する。
【背景技術】
【０００２】
従来釣り場に携行する仕掛け収納具には、ビニ−ルの同形同寸法の袋を積み重ねて袋に明けた孔にリベットを通して閉じたり、細かい孔のミシン縫製止めしたり、袋に明けた孔に針環を通して止めるバインダ−止めなどが用いられている。
例えば特許文献１の公報にはバインダ−状の基台部と押さえ部で袋状の収納部を重ねて挟むことができる釣り用収納具が記載されている。
しかし、袋を強く引くと孔位置が伸びたり破れてしまったりする。
すべての袋の長さを一定の長さにすると、重なった状態なので袋をめくり上げ難いので収納状態がわかりにくく、取り出したい物を見つけ難い。
長さの異なる袋を積み重ねると、物を取り出し易くなるがコストが高くなる。
【特許文献１】特開２００２−５１６７８
【発明の開示】
【発明が解決しようとする課題】
【０００３】
解決しようとする問題点は、袋を強く引くと袋の孔位置が伸びたり破れてしまったりすると共に、袋の長さを一定の長さにすると、重なった状態なので袋をめくり上げにくく収納状態がわかりにくく、取り出したい物が見つけ難い。
長さの異なる袋を積み重ねると、物を取り出し易くなるがコストが高くなることである。
【０００４】
本発明の目的は前記欠点に鑑み、袋の孔位置が伸びたり破れたりしにくく、物が見つけ易く取り出し易い仕掛け収納具を提供することである。
【課題を解決するための手段】
【０００５】
本発明の請求項１は、ベ−ス本体に沿って保持部材を取り付け、該保持部材に収納袋に明けた孔を挿通し、該保持部材に対して収納袋を揺動可能に保持したことを要旨とするものである。
本発明の請求項２は、収納袋をベ−ス本体に沿って重ね、保持部材を収納袋の孔に通したことを要旨とするものである。
本発明の請求項３は、複数枚の収納袋をベ−ス本体に沿って前後にずらして順次重ね、保持部材を収納袋の孔に通したことを要旨とするものである。
本発明の請求項４は、複数枚の収納袋をベ−ス本体に沿って前後にずらして順次重ねると共に、前後の移動を規制する手段を設けたことを要旨とするものである。
【発明の効果】
【０００６】
本発明により、保持部材に収納袋の複数の透孔が揺動可能に挿通されているので、収納袋が伸びたり破れたりしにくい。
細長いベ−ス本体が開かれると、複数枚の収納袋が少しずつ後退した状態で重ねられているので、収納物が見分け易く、取り出し易い。
複数枚の収納袋が少しずつ後退した状態で重ねられているので、めくり易く、同一寸法の収納袋が使用されるので、コストを低減することができる。
【発明を実施するための最良の形態】
【０００７】
仕掛け収納具は、細長いベ−ス本体１の上面に沿って複数条の保持部材２が設けられて下端２ａは縫製等でベ−ス本体１上に固定されている。
複数条の保持部材２は複数枚の収納袋３の透孔３ａに順次挿通されている。
複数条の保持部材２は最初の収納袋３-1の透孔３ａに下側から上方に向けて挿通された後複数条の保持部材２の止着部ａがベ−ス本体１に縫製等で固定され、次の収納袋３-2の透孔３ａに複数条の保持部材２が下側から上方に向けて挿通された後複数条の保持部材２の止着部ｂがベ−ス本体１に縫製等で固定される。
同様に収納袋３-3の透孔３ａに複数条の保持部材２が下側から上方に向けて挿通された後複数条の保持部材２の止着部ｃがベ−ス本体１に縫製等で固定された後複数条の保持部材２の上端２ｂがベ−ス本体１に縫製等で固定される。
複数条の保持部材２は収納袋３が揺動可能に透孔３ａの中に挿通されると共に複数条の保持部材２に対して収納袋３が下側から上側にめくり返しが可能に挿通されている。
【実施例１】
【０００８】
以下、図示の一実施例によって本発明を説明すると、図１は仕掛け収納具を開いた状態の斜視図、図２は仕掛け収納具を閉じた状態の斜視図、図３は仕掛け収納具の断面側面図である。
【０００９】
仕掛け収納具は、細長いベ−ス本体１の上面に沿って複数条の保持部材２が設けられて下端２ａは縫製等でベ−ス本体１上に固定されている。
複数条の保持部材２は複数枚の収納袋３の透孔３ａに順次挿通されている。
複数条の保持部材２は最初の収納袋３-1の透孔３ａに下側から上方に向けて挿通された後複数条の保持部材２の止着部ａがベ−ス本体１に縫製等で固定され、次の収納袋３-2の透孔３ａに複数条の保持部材２が下側から上方に向けて挿通された後複数条の保持部材２の止着部ｂがベ−ス本体１に縫製等で固定される。
同様に収納袋３-3の透孔３ａに複数条の保持部材２が下側から上方に向けて挿通された後複数条の保持部材２の止着部ｃがベ−ス本体１に縫製等で固定された後複数条の保持部材２の上端２ｂがベ−ス本体１に縫製等で固定される。
複数条の保持部材２は収納袋３が揺動可能に透孔３ａの中に挿通されると共に複数条の保持部材２に対して収納袋３が下側から上側にめくり返しが可能に挿通されている。
保持部材２が挿通されて保持された複数の収納袋３は止着部ａ、ｂ、ｃの間に規制されて移動できるようになっている。
また透孔３ａにて反対側へ反転させて倒すことができる。
【００１０】
細長いベ−ス本体１は布地やナイロン、塩化ビニ−ル、ポリプロピレン等の合成樹脂繊維の織布で形成され、芯材を中に挟んで形成してもよい。
細長いベ−ス本体１の外側一端にはベルベットファスナ等の止め具４が取り付けられたバンド５の一端が固定され、細長いベ−ス本体１の外側他端にはベルベットファスナ等の止め具６が取り付けられている。
保持部材２は合成樹脂や綿等で薄い帯紐に形成されている。
収納袋３はビニ−ルやポリエステル等の透明の合成樹脂で形成されて一側に横方向の複数の透孔３ａが形成され、他側には開口３ｂが設けられている。
向い合わせ状の開口３ｂの一辺に収納物の品名を書き込む舌片３ｃが設けられている。
舌片３ｃを摘んで開口３ｂを容易に開くことができ、開口３ｂの奥に開口３ｂを開閉可能に閉塞するファスナ部３ｄが設けられている。
【００１１】
前記仕掛け収納具の細長いベ−ス本体１は二つ折りにされてバンド５の止め具４、６で係止されて携行される。
二つ折りの細長いベ−ス本体１が開かれると図１、図３のように複数枚の収納袋３が少しずつ後退した状態で重ねられている。
複数条の保持部材２に合成樹脂や綿等で薄い帯紐を用いて収納袋３の複数の透孔３ａが揺動可能に挿通すると収納袋３が伸びたり破れたりしにくくなる。
複数条の保持部材２に合成樹脂や綿等の紐を用いてもよい。
【００１２】
前記のように仕掛け収納具が構成されると、保持部材２に収納袋３の複数の透孔３ａが揺動可能に挿通されているので、収納袋３が伸びたり破れたりしにくい。
細長いベ−ス本体１が開かれると、複数枚の収納袋３が少しずつ後退した状態で重ねられているので、収納物が見分け易く、取り出し易い。
複数枚の収納袋３が少しずつ後退した状態で重ねられているので、めくり易く、同一寸法の収納袋３が使用されるので、コストを低減することができる。
【産業上の利用可能性】
【００１３】
本発明は仕掛け収納具全般に利用できる。
【図面の簡単な説明】
【００１４】
【図１】仕掛け収納具を開いた状態の斜視図である。
【図２】仕掛け収納具を閉じた状態の斜視図である。
【図３】仕掛け収納具の断面側面図である。
【符号の説明】
【００１５】
１  ベ−ス本体
２  保持部材
３  収納袋
【図１】
2007143496.tif 000003
【図２】
2007143496.tif 000004
【図３】
2007143496.tif 000005